(57)【要約】【課題】洋上風力発電施設の建造・運搬における安全性、経済性を向上させ、ドック施設を有効に利用することができる洋上風力発電施設の建造・運搬方法を提供すること。【解決手段】本発明に対応した洋上風力発電施設１０の建造・運搬方法は、ドック施設で架台手段２０を準備し、横倒させた架台手段２０内に、少なくとも洋上風力発電施設１０の下部構造体１１を横倒させて建造し、下部構造体１１を架台手段とともにドック施設内に入渠させたバージ４０に搭載し、バージ４０をドック施設から出渠させて移動させることを特徴とする。【選択図】        図１
2014227966.tif 000002
【特許請求の範囲】
【請求項１】
ドック施設で架台手段を準備し、横倒させた前記架台手段内に、少なくとも洋上風力発電施設の下部構造体を横倒させて建造し、前記下部構造体を前記架台手段とともに前記ドック施設内に入渠させたバージに搭載し、前記バージを前記ドック施設から出渠させて移動させることを特徴とする洋上風力発電施設の建造・運搬方法。
【請求項２】
前記架台手段に浮力付与手段を備えたことを特徴とする請求項１に記載の洋上風力発電施設の建造・運搬方法。
【請求項３】
前記浮力付与手段が、浮力調整機能を有することを特徴とする請求項２に記載の洋上風力発電施設の建造・運搬方法。
【請求項４】
前記下部構造体を、前記洋上風力発電施設の立設時に下側となる部位を陸側に、上側となる部位を海側に向けて建造したことを特徴とする請求項１から請求項３のいずれかに記載の洋上風力発電施設の建造・運搬方法。
【請求項５】
前記バージを、後部形状が平面視で凹型である凹型バージとしたことを特徴とする請求項１から請求項４のいずれかに記載の洋上風力発電施設の建造・運搬方法。
【請求項６】
前記バージが、バージ浮力調整機能を有することを特徴とする請求項１から請求項５のいずれかに記載の洋上風力発電施設の建造・運搬方法。
【請求項７】
前記架台手段を橋脚で支持したこと特徴とする請求項１から請求項６のいずれかに記載の洋上風力発電施設の建造・運搬方法。
【請求項８】
前記橋脚によって前記架台手段を傾斜させたことを特徴とする請求項７に記載の洋上風力発電施設の建造・運搬方法。
【請求項９】
前記橋脚を、前記架台手段と前記下部構造体とともに前記バージに搭載することを特徴とする請求項７又は請求項８に記載の洋上風力発電施設の建造・運搬方法。
【請求項１０】
前記下部構造体に加えて、タワー、ナセル、及びローターを、横倒させた前記架台手段内に建造することを特徴とする請求項１から請求項９のいずれかに記載の洋上風力発電施設の建造・運搬方法。
【請求項１１】
前記下部構造体を、浮力を有した浮体構造体としたことを特徴とする請求項１から請求項１０のいずれかに記載の洋上風力発電施設の建造・運搬方法。
【請求項１２】
前記ドック施設から出渠させた前記バージを、前記洋上風力発電施設の設置場所に移動し、前記下部構造体を前記設置場所に立設させて据付けた後に、前記架台手段を前記バージに撤収することを特徴とする請求項１から請求項１１のいずれかに記載の洋上風力発電施設の建造・運搬方法。
【請求項１３】
前記ドック施設に前記バージを帰港させた後に、前記バージに撤収した前記架台手段を再利用することを特徴とする請求項１２に記載の洋上風力発電施設の建造・運搬方法。
【請求項１４】
複数基の前記架台手段とそれぞれの前記架台手段内に建造した前記下部構造体とを、それぞれ別の前記バージに搭載し、複数台の前記バージを一緒に移動させることを特徴とする請求項１から請求項１３のいずれかに記載の洋上風力発電施設の建造・運搬方法。
【発明の詳細な説明】
【技術分野】
【０００１】
本発明は、洋上風力発電施設の建造・運搬方法に関する。
【背景技術】
【０００２】
従来例として、環境省が平成２２年度から開始している、我が国初となる２ＭＷ級の浮体式洋上風力発電実証機１基を実海域に設置する実証事業がある。平成２４年度には『浮体式洋上風力発電実証事業  小規模試験機設置』計画が実施され、実証機が建造されている。この小規模試験機の運搬に当っては、岸壁にて洋上風力発電施設を横臥状態で完成させ、大型クレーン船を用いて、一部分を保護枠で覆われた構造体を、保護枠ごと吊り上げ、運搬船に搭載して運搬する方法が採用されている。
【０００３】
特許文献１から特許文献４には、台船上に洋上風力発電施設を積載して設置場所に移動することが記載されている。
【０００４】
特に、特許文献３では、洋上風力発電施設をプレキャストコンクリートブロックを用いて横倒させた状態で組み立て、横倒させた状態にある洋上風力発電施設を半潜水台船の甲板上に積載することが記載されている（図４、段落番号（００１６）〜（００２０））。
【０００５】
また、特許文献４では、洋上風力発電施設をドック施設内にて起立して建造し、ドック施設を浸水した後に洋上風力発電施設を船に積載することが記載されている（図２４Ａ〜図２４Ｅ、段落番号（００５６））。そして、洋上風力発電施設を船に積載するために、甲板の後縁に装置を設け、この装置によって洋上風力発電施設を起立状態から横倒状態に可動している（図２１〜図２３、段落番号（００５４））。
【先行技術文献】
【特許文献】
【０００６】
【特許文献１】特開２０１３−２９１０１号公報
【特許文献２】特開２０１２−７６６２２号公報
【特許文献３】特開２００９−１３８２９号公報
【特許文献４】特表２００７−５１８９１２号公報
【発明の概要】
【発明が解決しようとする課題】
【０００７】
従来例の方法では、クレーン船・運搬船と２隻の船舶が必要であり経済性・効率性の面で検討の余地がある。また、将来の構造体の大型化への対応力も懸念されている。
特許文献１及び特許文献２では、台船上に洋上風力発電施設を建造し、積載する具体的な方法については何ら記載されていない。
また、特許文献３においても、横倒させた状態にある洋上風力発電施設を台船に積載する方法は何ら記載されていない。
また、特許文献４では、装置を用いて、起立状態にある洋上風力発電施設を、船の甲板上に横倒することが記載されているが、重量物である洋上風力発電施設を、船に設けた装置で横倒させることは、安定性に問題がある。
【０００８】
本発明は、洋上風力発電施設の建造・運搬における安全性、経済性を向上させ、ドック施設を有効に利用することができる洋上風力発電施設の建造・運搬方法を提供することを目的とする。
【課題を解決するための手段】
【０００９】
請求項１記載の本発明に対応した洋上風力発電施設の建造・運搬方法においては、ドック施設で架台手段を準備し、横倒させた架台手段内に、少なくとも洋上風力発電施設の下部構造体を横倒させて建造し、下部構造体を架台手段とともにドック施設内に入渠させたバージに搭載し、バージをドック施設から出渠させて移動させることを特徴とする。請求項１に記載の本発明によれば、ドック施設を利用して洋上風力発電施設を建造でき、横倒させた架台手段内で建造することで作業性や安全性が高く、横倒させた状態で架台手段とともに少なくとも洋上風力発電施設の下部構造体を、ドック施設内にてバージに搭載するため、安全で容易に搭載、運搬でき、架台手段により洋上風力発電施設を保護することもできる。
【００１０】
請求項２記載の本発明は、請求項１に記載の洋上風力発電施設の建造・運搬方法において、架台手段に浮力付与手段を備えたことを特徴とする。請求項２に記載の本発明によれば、下部構造体の重量の相違を浮力付与手段によって調整し、バージの型式によっては浮力不足を補い、架台手段の横倒角度を調整できる。
【００１１】
請求項３記載の本発明は、請求項２に記載の洋上風力発電施設の建造・運搬方法において、浮力付与手段が、浮力調整機能を有することを特徴とする。請求項３に記載の本発明によれば、浮力付与手段によって架台手段の浮力調整を行えるため、バージ搭載時や運搬時の喫水調整に利用でき、またドック施設内や設置場所での架台手段の横倒角度の調整にも利用できる。
【００１２】
請求項４記載の本発明は、請求項１から請求項３のいずれかに記載の洋上風力発電施設の建造・運搬方法において、下部構造体を、洋上風力発電施設の立設時に下側となる部位を陸側に、上側となる部位を海側に向けて建造したことを特徴とする。請求項４に記載の本発明によれば、洋上風力発電施設の立設時に下側となる部位は、上側となる部位に比べて重くて寸法的にも大きいため、重くて大きな部位を陸側として建造することで、バージに搭載しやすく、バージの移動時における抵抗を少なくでき、立設も容易に行うことができる。
【００１３】
請求項５記載の本発明は、請求項１から請求項４のいずれかに記載の洋上風力発電施設の建造・運搬方法において、バージを、後部形状が平面視で凹型である凹型バージとしたことを特徴とする。請求項５に記載の本発明によれば、後部形状が平面視で凹型である凹型バージとすることで、凹型の位置に架台手段を配置でき、ドック施設内に後退しながら入渠することにより搭載が容易であり、バージの移動時や洋上での立設時における安定性にも優れる。
【００１４】
請求項６記載の本発明は、請求項１から請求項５のいずれかに記載の洋上風力発電施設の建造・運搬方法において、バージが、バージ浮力調整機能を有することを特徴とする。請求項６に記載の本発明によれば、特にドック施設への入出渠時、及び下部構造体のバージへの搭載時におけるバージ高さを調整できる。
【００１５】
請求項７記載の本発明は、請求項１から請求項６のいずれかに記載の洋上風力発電施設の建造・運搬方法において、架台手段を橋脚で支持したこと特徴とする。請求項７に記載の本発明によれば、橋脚によって建造時や運搬時における架台手段の支えを行える。
【００１６】
請求項８記載の本発明は、請求項７に記載の洋上風力発電施設の建造・運搬方法において、橋脚によって架台手段を傾斜させたことを特徴とする。請求項８に記載の本発明によれば、架台手段の横倒角度を橋脚によって調整できる。
【００１７】
請求項９記載の本発明は、請求項７又は請求項８に記載の洋上風力発電施設の建造・運搬方法において、橋脚を、架台手段と下部構造体とともにバージに搭載することを特徴とする。請求項９に記載の本発明によれば、バージ搭載時においても、建造時と同様に、架台手段を支えるとともに横倒角度を維持できる。
【００１８】
請求項１０記載の本発明は、請求項１から請求項９のいずれかに記載の洋上風力発電施設の建造・運搬方法において、下部構造体に加えて、タワー、ナセル、及びローターを、横倒させた架台手段内に建造することを特徴とする。請求項１０に記載の本発明によれば、洋上風力発電施設をドック施設内で完成させて運搬することができる。
【００１９】
請求項１１記載の本発明は、請求項１から請求項１０のいずれかに記載の洋上風力発電施設の建造・運搬方法において、下部構造体を、浮力を有した浮体構造体としたことを特徴とする。請求項１１に記載の本発明によれば、浮体式の洋上風力発電施設として利用できる。また、例えば運搬に当って浮体構造体によってバージの浮力を補うことも可能である。
【００２０】
請求項１２記載の本発明は、請求項１又は請求項１１のいずれかに記載の洋上風力発電施設の建造・運搬方法において、ドック施設から出渠させたバージを、洋上風力発電施設の設置場所に移動し、下部構造体を設置場所に立設させて据付けた後に、架台手段をバージに撤収することを特徴とする。請求項１２に記載の本発明によれば、架台手段を再利用できる。
【００２１】
請求項１３記載の本発明は、請求項１２に記載の洋上風力発電施設の建造・運搬方法において、ドック施設にバージを帰港させた後に、バージに撤収した架台手段を再利用することを特徴とする。請求項１３に記載の本発明によれば、架台手段を繰り返し利用することで経済性にも優れている。
【００２２】
請求項１４記載の本発明は、請求項１から請求項１３のいずれかに記載の洋上風力発電施設の建造・運搬方法において、複数基の架台手段とそれぞれの架台手段内に建造した下部構造体とを、それぞれ別のバージに搭載し、複数台のバージを一緒に移動させることを特徴とする。請求項１４に記載の本発明によれば、複数台の下部構造体を一緒に建造、運搬、及び設置でき、経済性に優れている。
【発明の効果】
【００２３】
本発明によれば、ドック施設を利用して洋上風力発電施設を建造でき、横倒させた架台手段内で建造することで作業性や安全性が高く、横倒させた状態で架台手段とともに少なくとも洋上風力発電施設の下部構造体を、ドック施設内にてバージに搭載するため、安全で容易に搭載、運搬でき、架台手段により洋上風力発電施設を保護することもできる。
【００２４】
また、架台手段に浮力付与手段を備えた場合には、下部構造体の重量の相違を浮力付与手段によって調整し、架台手段の横倒角度を調整し、バージの型式によっては浮力不足を補い、架台手段の横倒角度を調整できる。
【００２５】
また、浮力付与手段が、浮力調整機能を有する場合には、浮力付与手段によって架台手段の浮力調整を行えるため、バージ搭載時や運搬時の喫水調整に利用でき、またドック施設内や設置場所での架台手段の横倒角度の調整にも利用できる。
【００２６】
また、下部構造体を、洋上風力発電施設の立設時に下側となる部位を陸側に、上側となる部位を海側に向けて建造した場合には、洋上風力発電施設の立設時に下側となる部位は、上側となる部位に比べて重くて寸法的にも大きいため、重くて大きな部位を陸側として建造することで、バージに搭載しやすく、バージの移動時における抵抗を少なくでき、立設も容易に行うことができる。
【００２７】
また、バージを、後部形状が平面視で凹型である凹型バージとした場合には、後部形状が平面視で凹型である凹型バージとすることで、凹型の位置に架台手段を配置でき、ドック施設内に後退しながら入渠することにより搭載が容易であり、バージの移動時や洋上での立設時における安定性に優れる。
【００２８】
また、バージが、バージ浮力調整機能を有する場合には、特にドック施設への入出渠時、及び下部構造体のバージへの搭載時におけるバージ高さを調整できる。
【００２９】
また、架台手段を橋脚で支持した場合には、橋脚によって建造時や運搬時における架台手段の支えを行える。
【００３０】
また、橋脚によって架台手段を傾斜させた場合には、架台手段の横倒角度を橋脚によって調整できる。
【００３１】
また、橋脚を、架台手段と下部構造体とともにバージに搭載する場合には、バージ搭載時においても、建造時と同様に、架台手段を支えるとともに横倒角度を維持できる。
【００３２】
また、下部構造体に加えて、タワー、ナセル、及びローターを、横倒させた架台手段内に建造する場合には、洋上風力発電施設をドック施設内で完成させて運搬することができる。
【００３３】
また、下部構造体を、浮力を有した浮体構造体とした場合には、浮体式の洋上風力発電施設として利用できる。また、例えば運搬に当って浮体構造体によってバージの浮力を補うことも可能である。
【００３４】
また、ドック施設から出渠させたバージを、洋上風力発電施設の設置場所に移動し、下部構造体を設置場所に立設させて据付けた後に、架台手段をバージに撤収する場合には、架台手段を再利用できる。
【００３５】
また、ドック施設にバージを帰港させた後に、バージに撤収した架台手段を再利用する場合には、架台手段を繰り返し利用することで経済性にも優れている。
【００３６】
また、複数基の架台手段とそれぞれの架台手段内に建造した下部構造体とを、それぞれ別のバージに搭載し、複数台のバージを一緒に移動させる場合には、複数台の下部構造体を一緒に建造、運搬、及び設置でき、経済性に優れている。
【図面の簡単な説明】
【００３７】
【図１】本発明の実施形態による洋上風力発電施設をバージに積載した状態を示す構成図
【図２】ドック施設における架台手段の建造を示す図
【図３】架台手段内での下部構造体及びタワーの建造を示す図
【図４】架台手段内での洋上風力発電施設の建造を示す図
【図５】ドック施設内に注水した状態を示す図
【図６】ドック施設内へのバージの入渠を示す図
【図７】ドック施設内に入渠したバージを示す図
【図８】架台手段をバージに搭載した状態を示す図
【図９】バージの出渠を示す図
【図１０】洋上風力発電施設の立設を示す図
【図１１】架台手段をバージに撤収した状態を示す図
【図１２】洋上風力発電施設を設置場所に立設させて据付けた後のバージのドック施設への入渠を示す図
【図１３】入渠後に架台手段をバージから降ろす状態を示す図
【図１４】架台手段を降ろしたバージの出渠を示す図
【図１５】架台手段の再利用を示す図
【図１６】バージが自航式の場合の複数基の架台手段と洋上風力発電施設を複数台のバージで移動させる状態を示す図
【図１７】バージを他船で曳航する場合の複数基の架台手段と洋上風力発電施設を複数台のバージで移動させる状態を示す図
【図１８】複数台のバージをずらして連結している場合の複数基の架台手段と洋上風力発電施設を複数台のバージで移動させる状態を示す図
【図１９】一部のバージの向きを変えて連結している場合の複数基の架台手段と洋上風力発電施設を複数台のバージで移動させる状態を示す図
【発明を実施するための形態】
【００３８】
以下に、本発明の実施形態による洋上風力発電施設の建造・運搬方法について説明する。
【００３９】
図１は本発明の実施形態による洋上風力発電施設をバージに積載した状態を示す構成図である。
本実施形態における洋上風力発電施設１０は、下部構造体１１、タワー１２、ナセル１３、及びローター１４からなり、下部構造体１１を、浮力を有した浮体構造体とした浮体式の洋上風力発電施設である。ただし、海底に着底させる固定式の洋上風力発電施設であっても適用できる。
本実施の形態では、下部構造体１１、タワー１２、ナセル１３、及びローター１４からなる洋上風力発電施設１０を、ドック施設内にて建造・運搬し、洋上で据付ける場合を説明するが、少なくとも洋上風力発電施設１０の下部構造体１１をドック施設内にて建造するものであればよい。
洋上風力発電施設１０は、架台手段２０内で建造される。
【００４０】
架台手段２０は、横倒させた状態で、底面、背面、及び両側面をトラス構造の枠体で構成し、洋上風力発電施設１０又は少なくとも洋上風力発電施設１０の下部構造体１１を内部に格納する。
超重量物であり円筒状を成した洋上風力発電施設１０の下部構造体１１を架台手段２０内で建造できることは、建造中の洋上風力発電施設１０の保護のみならず下部構造体１１の転動防止の上で意義がある。
架台手段２０は浮力付与手段３０を備えている。
浮力付与手段３０は、洋上風力発電施設１０又は少なくとも下部構造体１１の立設時に、下側となる部位２０Ｕに設けている。浮力付与手段３０は、水密構造であるとともに、内部にバラスト水を導入できる浮力調整機能を有する。この浮力調整機能は、開閉バルブや注水ポンプ、排水ポンプ、またバラスト水量検出手段等を適宜組み合わせて実行される。
【００４１】
このように、架台手段２０が浮力付与手段３０を備えることで、洋上風力発電施設１０又は少なくとも下部構造体１１の重量の相違を浮力付与手段３０によって調整し、バージ４０の型式によっては浮力不足を補い、架台手段２０の横倒角度を調整できる。また、浮力付与手段３０によって架台手段２０の浮力調整を行えるため、バージ４０への搭載時や運搬時の喫水調整に利用でき、またドック施設内や設置場所での架台手段２０の横倒角度の調整にも利用できる。また、浮力付与手段３０を下側となる部位２０Ｕに設けることで、架台手段２０の横倒状態から起立状態への移行にともなって大きな浮力を発生させることができ、架台手段２０が水中深く沈下せず、安定した挙動で洋上風力発電施設１０又は少なくとも下部構造体１１を立設させて据付けることができる。また、横倒状態から起立状態への移行に当り、浮力付与手段３０へバラスト水を導入し浮力を調整することにより、超重量物である洋上風力発電施設を緩慢に、円滑に動作させて立設させることができ、安全性にも優れる。
【００４２】
浮力付与手段３０は、架台手段２０の下側（底面）となる部位２０Ｕとともに背面となる部位２０Ｂに配置することが好ましい。
架台手段２０には、超重量物である洋上風力発電施設１０又は少なくとも下部構造体１１を格納するために、地面と架台手段２０の接面は、相応の強度が求められる。従って、浮力付与手段３０を強度の高いボックス構造とすることで、浮力付与手段３０によって架台手段２０を地面に対して支持することができる。浮力付与手段３０は、架台手段２０に溶接などによって接合する。また、ボックス構造とすることにより有効に浮力付与ができるだけでなく、内部にバラスト水を導入するだけで浮力調整が容易に可能となる。
【００４３】
架台手段２０は橋脚５０で支持される。橋脚５０によって建造時や運搬時における架台手段２０の支えを行える。
また、橋脚５０によって架台手段２０を傾斜させることができる。複数の橋脚５０の高さを変えることで、又は橋脚５０の上面を傾斜させることで、架台手段２０の横倒角度を調整できる。
橋脚５０は、架台手段２０と洋上風力発電施設１０又は少なくとも下部構造体１１とともにバージ４０に搭載する。
橋脚５０は、バージ４０との接触部を有し、搭載時にはこの接触部で架台手段２０や洋上風力発電施設１０の荷重を支える構造であるため、横倒角度を持たせた状態でのバージ４０への搭載が容易となる。橋脚５０をバージ４０に搭載することで、建造時と同様に、バージ４０の搭載時に架台手段２０を支えるとともに横倒角度を維持できる。
横倒角度を持たせることにより、建造時に突出したナセル１３がドック施設の床面に接触することを防ぐとともに、洋上風力発電施設１０の据付け時に架台手段２０ごと滑動、回動させて立設させることが容易となる。なお、洋上風力発電施設１０の形態やバージ４０の型式等によっては、横倒角度を持たせずに建造・運搬することも可能である。
【００４４】
バージ４０は、後部形状が平面視で凹型である凹型バージとしている。後部形状が平面視で凹型である凹型バージ４０とすることで、凹型の位置に架台手段２０を配置でき、ドック施設内に後退しながら入渠することにより搭載が容易であり、バージ４０の移動時や洋上での立設時における安定性に優れる。なお、洋上風力発電施設１０の形態や据付け方法によってはバージ４０の型式は、凹型以外であってもよく、またバージ４０は双胴船又は自航機能を持たない双胴船型バージであってもよい。
バージ４０は、バージ浮力調整機能を有する。バージ浮力調整機能を有することで、特にドック施設への入出渠時、及び洋上風力発電施設１０又は少なくとも下部構造体１１のバージ４０への搭載時におけるバージ４０の高さを調整できる。また、運搬時においては、バージ４０の高さを調整することにより、浮力付与手段３０が水中に没入している場合は、没入量を調節し、浮力付与手段３０の浮力ならびに摩擦抵抗を調整できる。
【００４５】
図２から図１５を用いて、本実施形態による洋上風力発電施設の建造・運搬方法について説明する。
図２は、ドック施設における架台手段の建造を示す図であり、図２（ａ）は側面図、図２（ｂ）は平面図である。
図２に示すように、ドック施設で架台手段２０を準備する。架台手段２０の下側（底面）となる部位２０Ｕとともに背面となる部位２０Ｂには、浮力付与手段３０を配置する。
また、架台手段２０は、橋脚５０によって横倒されて支持される。ここで、横倒角度は、洋上風力発電施設１０又は少なくとも下部構造体１１の建造時の作業性から、地面に対して１０度程度が好ましい。
但し、洋上風力発電施設１０のナセル１３もドック施設内で建造する場合であって、下方に突出したナセル１３の後部がドック施設の床面に接触する恐れがある場合は、この限りではない。
本実施形態では、複数の橋脚５０の高さを変えるとともに橋脚５０の上面を傾斜させることで、架台手段２０の横倒角度を調整している。
【００４６】
図３は、架台手段内での下部構造体及びタワーの建造を示す図であり、図３（ａ）は側面図、図３（ｂ）は平面図である。
横倒させた架台手段２０内に、下部構造体１１及びタワー１２を横倒させて建造する。
【００４７】
図４は、架台手段内での洋上風力発電施設の建造を示す図であり、図４（ａ）は側面図、図４（ｂ）は平面図である。
図４では、図３の状態から、更にナセル１３及びローター１４を建造した状態を示している。すなわち、横倒させた架台手段２０内に、ナセル１３及びローター１４を横倒させて建造する。架台手段２０の上部を開放させた構造とすることにより、建造作業がし易く、またナセル１３及びローター１４が架台手段２０よりも突出していても、立設時の滑動、回動の支障が無いものとなっている。
【００４８】
図５は、ドック施設内に注水した状態を示す図であり、図５（ａ）は側面図、図５（ｂ）は平面図である。
図５に示すように、横倒させた架台手段２０内に、洋上風力発電施設１０を横倒させて建造した後に、ドック施設内に注水を行う。従って、横倒させた架台手段２０の周囲は水６０で満たされる。
【００４９】
図６は、ドック施設内へのバージの入渠を示す図であり、図６（ａ）は側面図、図６（ｂ）は平面図である。
図６に示すように、ドック施設内は水６０で満たされているため、ドック施設外からバージ４０を入渠させることができる。
【００５０】
図７は、ドック施設内に入渠したバージを示す図であり、図７（ａ）は側面図、図７（ｂ）は平面図である。
図７に示すように、凹型の位置に架台手段２０が配置されるようにバージ４０を位置決めする。この状態では、架台手段２０は地面で支えられている。
【００５１】
図８は、架台手段をバージに搭載した状態を示す図であり、図８（ａ）は側面図、図８（ｂ）は平面図である。
図８に示す状態で、バージ４０は浮力調整機能によって浮上し、この浮上によって架台手段２０をバージ４０に搭載する。洋上風力発電施設１０を格納した架台手段２０は、橋脚５０及び浮力付与手段３０とともにバージ４０に搭載される。
【００５２】
図９は、バージの出渠を示す図であり、図９（ａ）は側面図、図９（ｂ）は平面図である。
バージ４０は主機を備えて自航できるものでも、他船による曳航であってもよい。
バージ４０は、洋上風力発電施設１０を格納した架台手段２０を搭載してドック施設から出渠する。
出渠後の運搬時に波浪によるバージ４０の動揺があっても、架台手段２０が洋上風力発電施設１０に集中した荷重がかかることを防止する。
【００５３】
本実施形態では、洋上風力発電施設１０を建造した場合を示したが、図３に示すように、下部構造体１１とタワー１２とを建造した状態で、バージ４０に搭載してもよい。
また、本実施形態に示すように、洋上風力発電施設１０を、洋上風力発電施設１０の立設時に下側となる部位（下部構造体１１）を陸側に、上側となる部位（ローター１４）を海側に向けて建造することが好ましい。洋上風力発電施設１０の立設時に下側となる部位（下部構造体１１）は、上側となる部位（ローター１４）に比べて重くて寸法的にも大きいため、重くて大きな部位（下部構造体１１）を陸側として建造することで、バージ４０に搭載しやすく、バージ４０の移動時における抵抗を少なくでき、立設も容易に行うことができる。
特に、洋上風力発電施設１０の運搬時に下部構造体１１が水没する運搬方法である場合に、移動時に寸法的に小さい方が進行側となることにより、移動時の摩擦抵抗が小さくできる。
【００５４】
図１０は、洋上風力発電施設の立設を示す図であり、図１０（ａ）は側面図、図１０（ｂ）は平面図である。
ドック施設から出渠させたバージ４０は、洋上風力発電施設１０の設置場所に移動し、洋上風力発電施設１０を設置場所に立設させて据付ける。
据付けに当っては、横倒角度を持たせて積載した架台手段２０及び洋上風力発電施設１０の固定手段を開放したり緩めることにより、また浮力付与手段３０やバージ４０の浮力を調整することにより、橋脚５０上を滑動、回動させて立設させることができる。
【００５５】
図１１は、架台手段をバージに撤収した状態を示す図であり、図１１（ａ）は側面図、図１１（ｂ）は平面図である。
洋上風力発電施設１０を設置場所に立設させて据付けた後に、架台手段２０をバージ４０に撤収する。
【００５６】
図１２は、洋上風力発電施設を設置場所に立設させて据付けた後のバージのドック施設への入渠を示す図であり、図１２（ａ）は側面図、図１２（ｂ）は平面図である。
架台手段２０を搭載したバージ４０はドック施設に帰港する。  なお、ドック施設への帰港は、次の洋上風力発電施設１０の建造計画によっては他のドック施設であってもよい。
【００５７】
図１３は、入渠後に架台手段をバージから降ろす状態を示す図であり、図１３（ａ）は側面図、図１３（ｂ）は平面図である。
図１３に示す状態で、バージ４０は浮力調整機能によって沈み、バージ４０が下方に移動することによって架台手段２０をバージ４０から降ろす。架台手段２０は、橋脚５０及び浮力付与手段３０とともに地面に着底される。
【００５８】
図１４は、架台手段を降ろしたバージの出渠を示す図であり、図１４（ａ）は側面図、図１４（ｂ）は平面図である。
バージ４０を出渠させることで、ドック施設内には、橋脚５０及び浮力付与手段３０とともに架台手段２０が残る。
【００５９】
図１５は、架台手段の再利用を示す図であり、図１５（ａ）は側面図、図１５（ｂ）は平面図である。
ドック施設から排水することで、図２に示す架台手段２０を建造した状態を得ることができ、架台手段２０を再利用することができる。
本実施形態によれば、架台手段２０を繰り返し利用することで経済性にも優れている。
【００６０】
図１６から図１９は、複数基の架台手段と洋上風力発電施設を複数台のバージで移動させる状態を示す図である。それぞれ、（ａ）は側面図、（ｂ）は平面図である。
図１６に示す運搬方法では、バージ４０が自航式の場合を示している。複数台のバージ４０を連結することで、安定した運送を実現でき、経済性にも優れている。
複数台のバージ４０を図示のように連結して運搬する場合には、いずれかのバージ４０が自航のための主機を備えていればよい。
【００６１】
図１７に示す運搬方法では、バージ４０を他船で曳航する場合を示している。複数台のバージ４０を連結することで、１艘の船で曳航することができ、安定した運送を実現でき、経済性にも優れている。
図１６及び図１７に示すように、複数台のバージ４０を連結する場合には、一部の洋上風力発電施設１０については、例えば一部のローター１４を取り外して運搬してもよい。
【００６２】
図１８に示す運航方法では、複数台のバージ４０をずらして連結している。図１８に示すように、複数台のバージ４０をずらすことで、全ての洋上風力発電施設１０を完成状態で運搬することができる。
【００６３】
図１９に示す運航方法では、複数台のバージ４０の内、一部のバージ４０の向きを変えて連結している。図１９に示すように、一部のバージ４０の向きを変えることで、全ての洋上風力発電施設１０を完成状態で運搬することができる。
【００６４】
以上のように、本実施形態による洋上風力発電施設１０の建造・運搬方法は、ドック施設で架台手段２０を準備し、横倒させた架台手段２０内に、少なくとも洋上風力発電施設１０の下部構造体１１を横倒させて建造し、下部構造体１１を架台手段２０とともにドック施設内に入渠させたバージ４０に搭載し、バージ４０をドック施設から出渠させて移動させることで、ドック施設を利用して洋上風力発電施設１０を建造でき、横倒させた架台手段２０内で建造することで作業性や安全性が高く、横倒させた状態で架台手段２０とともに少なくとも洋上風力発電施設１０の下部構造体１１を、ドック施設内にてバージ４０に搭載するため、安全で容易に搭載、運搬でき、架台手段により洋上風力発電施設を保護することもできる。
また、架台手段２０が浮力付与手段３０を備えることで、洋上風力発電施設１０又は少なくとも下部構造体１１の重量の相違を浮力付与手段３０によって調整し、バージ４０の型式によっては浮力不足を補い、架台手段２０の横倒角度を調整できる。
また、立設時に大きな浮力を発生させることができ、架台手段２０が水中深く沈下せず、安定した挙動で洋上風力発電施設１０又は少なくとも下部構造体１１を据付けることができる。
さらに、浮力付与手段３０によって架台手段２０の浮力調整を行えるため、バージ４０への搭載時や運搬時の喫水調整に利用でき、またドック施設内や設置場所での架台手段２０の横倒角度の調整にも利用できる。また、横倒状態から起立状態への移行に当り、浮力付与手段３０へバラスト水を導入し浮力を調整することにより、超重量物である洋上風力発電施設１０を緩慢に、円滑に動作させて立設させることができる。
【産業上の利用可能性】
【００６５】
本発明の洋上風力発電施設の建造・運搬方法は、浮体式の洋上風力発電施設だけでなく、固定式の洋上風力発電施設にも利用できる。
【符号の説明】
【００６６】
１０  洋上風力発電施設
１１  下部構造体
１２  タワー
１３  ナセル
１４  ローター
２０  架台手段
３０  浮力付与手段
４０  バージ
５０  橋脚
【図１】
2014227966.tif 000003
【図２】
2014227966.tif 000004
【図３】
2014227966.tif 000005
【図４】
2014227966.tif 000006
【図５】
2014227966.tif 000007
【図６】
2014227966.tif 000008
【図７】
2014227966.tif 000009
【図８】
2014227966.tif 000010
【図９】
2014227966.tif 000011
【図１０】
2014227966.tif 000012
【図１１】
2014227966.tif 000013
【図１２】
2014227966.tif 000014
【図１３】
2014227966.tif 000015
【図１４】
2014227966.tif 000016
【図１５】
2014227966.tif 000017
【図１６】
2014227966.tif 000018
【図１７】
2014227966.tif 000019
【図１８】
2014227966.tif 000020
【図１９】
2014227966.tif 000021